(57)【要約】【課題】  機構を簡素化し、ＩＣカードの損傷を軽減する小型で低価格のカード取り込み機能を有するカードリーダを提供する。【解決手段】  ＩＣカード１をカード通路５において挿入方向および排出方向に搬送するカード搬送手段と、カード通路内に位置してＩＣカードに接し、少なくともＩＣカードの情報の読み出し／書き込みを行う接点１３を有し、かつ常に前記カード通路外に後退するように付勢されたホルダ１２と、情報の読み出し／書き込みのためホルダを、付勢力に抗して移動させる電磁ソレノイド１７と、これにより移動するホルダを、カード通路内に進出するように案内する案内ピン１５およびガイド溝１６とを備え、ホルダ１２は、情報の読み出し／書き込み後において付勢力でカード通路外に後退するようにしたものである。情報の読み出し／書き込みの時だけＩＣカードの接点と接触し、それ以外には接触しないようにする。【選択図】  図１ 
2005092316.tif 000002
【特許請求の範囲】
【請求項１】
カードの接触端子に接する接点を有するホルダと、前記ホルダがカード通路に向って移動するように規制する規制手段と、前記規制手段を介して前記ホルダをカード通路に向ってカード通路と距離を隔てた位置にあって、かつ一部がカード通路に臨むように移動させるホルダ移動手段とを備えたカードリーダ。
【請求項２】
カードの接触端子に接する接点を有するホルダと、前記ホルダに設けたフックと、前記ホルダがカード通路に向って移動するように規制する規制手段と、前記規制手段を介して前記ホルダをカード通路に向ってカード通路と距離を隔てた位置であって、かつ前記フックがカード通路に臨むように移動させるホルダ移動手段とを備えたカードリーダ。
【請求項３】
カードの接触端子に接する接点を有するホルダと、前記ホルダに設けたフックと、前記カードがカード通路に挿入されたことを検知するカード挿入検知手段と、前記ホルダがカード通路に向って移動するように規制する規制手段と、前記カード挿入検知手段からの信号により、前記フックが前記カード通路に突出するように前記ホルダを、前記規制手段を介してカード通路に向って移動させるホルダ移動手段とを備え、前記ホルダは、カードがカード通路に挿入されたときに前記ホルダが前記カード通路と距離を隔てた位置にあって、かつ前記フックが前記カード通路に突出するように前記カード通路に向って移動し、さらにホルダは前記カード通路を移動した前記カードが前記フックを押して前記カード通路に向って移動して前記接点の位置が情報の読み出し／書き込みが可能な所定の位置となるカードリーダ。
【請求項４】
第１のカード挿入排出口と、前記第１のカード挿入排出口と対向する位置に設けた第２のカード挿入排出口と、カードの接触端子に接する接点を有するホルダと、前記ホルダに設けたフックと、前記ホルダを前記第１のカード挿入排出口の排出方向に付勢する弾性体と、前記カードが前記第１のカード挿入排出口から挿入されたことを検知するカード挿入検知手段と、前記ホルダが前記第１のカード挿入排出口と第２のカード挿入排出口との間のカード通路に向って移動するように規制する規制手段と、前記カード挿入検知手段からの信号により、前記フックが前記カード通路に突出するように前記ホルダを、前記規制手段を介して移動させるホルダ移動手段とを備え、前記ホルダは、前記第１のカード挿入排出口からカードが挿入されたときに前記ホルダが前記カード通路と距離を隔てた位置であって、かつ前記フックが前記カード通路に突出するように移動し、さらにホルダは前記カード通路を移動した前記カードが前記フックを押して前記カード通路に向って移動して前記接点の位置が情報の読み出し／書き込みが可能な所定の位置となるカードリーダ。
【請求項５】
第１のカード挿入排出口から挿入したカードを第の２のカード挿入排出口から排出する場合において、ホルダ移動手段の動作を解除し、弾性体の付勢力により接点およびフックが前記カードに接触しない位置にホルダを保持するように構成した請求項４に記載のカードリーダ。
【請求項６】
カードを第２のカード挿入排出口から挿入する場合において、ホルダは付勢力により接点およびフックが前記カードと接しない位置に保持するように構成した請求項４に記載のカードリーダ。
【請求項７】
カード通路の下面に切り欠き部を設け、ホルダが情報の読み出し／書き込み可能な所定の位置に移動したときに、フックの一部が前記切り欠き部に挿通する請求項２から請求項６のいずれか１項に記載のカードリーダ。
【請求項８】
ホルダ移動手段は、電磁ソレノイドである請求項１から７のいずれか１項に記載のカードリーダ。
【請求項９】
ホルダ移動手段は、モータと前記モータに駆動されるカムとで構成してなる請求項１から７のいずれか１項に記載のカードリーダ。
【発明の詳細な説明】
【技術分野】
【０００１】
本発明は、ＩＣ（ｉｎｔｅｇｒａｔｅｄ  ｃｉｒｃｕｉｔ）カード等の取り込み機能を備え、情報の読出し／書き込み等を行うカードリーダに関するものである。
【背景技術】
【０００２】
近年、ＩＣカードの利用分野が拡大してきており、それに伴いＰＯＳなどの上位機種に組み込む、あるいは外部に設置するＩＣカードリーダに対して、オペレータが認証等のために、ＩＣカードリーダの後方からＩＣカードを挿入するなどの機能が要求されてきている。従来のＩＣカードリーダは、不正なＩＣカードに対する対応やその他必要に応じてＩＣカードを回収するなど、ＩＣカードをカード所持者に返却せずＩＣカードリーダの後方に取り込んだり、後方から再挿入したりしている（例えば特許文献１参照）。
【０００３】
このようなＩＣカードリーダの構成について、図５を参照しながら以下に説明する。    
【０００４】
モータ５０は、その回転力を、ベルト５１により一方のプーリー５２およびプーリー５２、５２の間に架設した搬送ベルト５３、押さえローラ５４よりなるカード搬送手段に伝達する。ＩＣカード５５は、情報の読出しのため、筐体であるカードリーダ本体５６のカード挿入口５７より挿入すると、モータ５０の回転力で回転している搬送ベルト５３と押さえローラ５４に挟まれて、カード通路５８を図中矢印で示すカード挿入方向側からカード取り込み方向側に搬送される。
【０００５】
ホルダ５９は、ＩＣカード５５の情報を読み出すために、ＩＣカード５５の表面の接触端子５５１に接触する接点６０を有する。そして、ホルダ５９はホルダ戻しバネ６１の付勢力によりカード挿入口５７側へ引っ張られて停止している。
【０００６】
フック６２は軸６３によりホルダ５９の後端に一端部を回転可能に取り付けられ、ホルダ５９が付勢力でカード挿入口５７側へ引っ張られて停止している位置において、カードリーダ本体５６に設けたフック規制部材６４に付勢力で当接して規制され、フック戻しバネ６８の付勢力に逆らって、図に示す位置であるカード通路５８内において停止している。
【０００７】
従って、ホルダ５９はＩＣカード５５がカード搬送手段によりカード通路５８を搬送されてくるとフック６２にＩＣカード５５が搬送力で当たりフック６２がやや回転するとともに、ホルダ５９も情報の読み出しのため付勢力に抗して斜め下方に移動させられるものである。
【０００８】
情報の読み出しを行うホルダ５９の移動を案内する案内ピン６５は、ホルダ５９の左右前後側面に設け、嵌合した案内ピン６５の移動を案内してホルダ５９を斜め下方に案内するガイド溝６６は、カードリーダ本体５６の左右側面に設けている。従って、ホルダ５９は前記したＩＣカード５５の搬送力を利用し付勢力に抗して案内ピン６５、ガイド溝６６に案内されて斜め下方に移動した時には、情報の読み出し位置において接点６０がＩＣカード５５の接触端子５５１に接するものである。
【０００９】
情報の読み出し位置検知手段６７は、カード通路５８を搬送されてきたＩＣカード５５が情報の読み出し可能な所定位置に達すると、これを検知して制御手段に信号を送りモータ５０の回転を停止させてＩＣカード５５を停止させる。そして、ホルダ５９はＩＣカード５５に対して、接触端子５５１と接点６０が接触した所定位置を保持するためロック機構部（図示せず）により保持される。図中、フック戻しバネ６８は軸６３に巻き付けてフック６２をフック規制部材６４に上向きに当接させている。
【００１０】
上記構成において、ＩＣカード５５をカード挿入口５７より挿入すると、モータ５０の回転力で回転している搬送ベルト５３と押さえローラ５４に挟まれて、カード通路５８を図中矢印で示すように搬送される。そして、図６（ａ）に示すようにカード通路５８に位置するフック６２にＩＣカード５５が当たり、ＩＣカード５５の搬送力を受けてホルダ５９がガイド溝６６に案内されて図６（ｂ）に示すように斜め下方に移動するとともに、ＩＣカード５５の接触端子５５１に接点６０が接する。
【００１１】
この位置に達したＩＣカード５５を、読み出し位置検知手段６７は検知し、モータ５０は回転を止められＩＣカード５５も停止する。この状態で、ＩＣカード５５の情報が、接点６０を通じて読み出すものである。通常の使用状態では読み出しが正常に終了した場合は、図６（ｃ）に示すようにＩＣカード５５を接触端子５５１に接点６０が接触した状態でカード挿入口５７側に戻す方向に搬送し、かつホルダ５９をロックしていた機構が解除され、図６（ｅ）、（ｆ）の状態となり、ＩＣカード５５が送り込まれる前の初期状態に戻る。
【００１２】
しかし、ＩＣカード５５は情報の読み出しの結果、このＩＣカード５５が不正カードであった場合等には、ＩＣカード５５をカードリーダ本体５６内に取り込むのである。このＩＣカード５５をカードリーダ本体５６内に取り込む場合は、図６（ｂ）の状態から若干、ＩＣカード５５をカード挿入口５７側に戻し、図６（ｃ）に示すようにホルダ５９が付勢力で初期位置に戻り、フック６２をＩＣカード５５の搬送を妨げない位置まで回転させる。
【００１３】
この状態においてＩＣカード５５は、ホルダ５９の接点６０がＩＣカード５５の接触端子５５１に接触し、かつフック６２もＩＣカード５５の表面に接触した状態でカードリーダ本体５６の後方へ搬送され、カードリーダ本体５６外に排出される。そして、ＩＣカード５５は、カードリーダ本体５６外に排出された後も、ホルダ５９はこの位置を保持したままの状態である。
【００１４】
このように従来のＩＣカードリーダでは、ＩＣカード５５をカードリーダ本体５６内に取り込んだ場合はもちろん、ＩＣカードリーダ本体５６のカード取り込み後方からＩＣカード５５を挿入する場合等において、ＩＣカード５５の接触端子５５１にホルダ５９の接点６０が常に接触した状態となり、またフック６２も接触した状態になっている。
【００１５】
従って、不正カード、その他の事でＩＣカードの取り込む回数が増えてくると、ＩＣカード５５のオペレータによる認証等が増えてくる。このような事態が多くなる場合には、ＩＣカードの接触端子の寿命を短くしたり、ＩＣカード表面にフックによる傷をつける等して好ましくない。
【特許文献１】特開平１０−２７２２０号公報（第５頁―第６頁  第１図、第２図）
【発明の開示】
【発明が解決しようとする課題】
【００１６】
上記背景技術の問題点に鑑み、本発明が解決しようとする課題は、情報の読み出し／書き込み等におけるＩＣカード等の損傷を軽減できるカードリーダを提供することにある。
【課題を解決するための手段】
【００１７】
第１の発明は、カードの接触端子に接する接点を有するホルダと、前記ホルダがカード通路に向って移動するように規制する規制手段と、前記規制手段を介して前記ホルダをカード通路に向ってカード通路と距離を隔てた位置にあって、かつ一部がカード通路に臨むように移動させるホルダ移動手段とを備えたカードリーダである。
【００１８】
第２の発明は、カードの接触端子に接する接点を有するホルダと、前記ホルダに設けたフックと、前記ホルダがカード通路に向って移動するように規制する規制手段と、前記規制手段を介して前記ホルダをカード通路に向ってカード通路と距離を隔てた位置であって、かつ前記フックがカード通路に臨むように移動させるホルダ移動手段とを備えたカードリーダである。
【００１９】
第３の発明は、カードの接触端子に接する接点を有するホルダと、前記ホルダに設けたフックと、前記カードがカード通路に挿入されたことを検知するカード挿入検知手段と、前記ホルダがカード通路に向って移動するように規制する規制手段と、前記カード挿入検知手段からの信号により、前記フックが前記カード通路に突出するように前記ホルダを、前記規制手段を介してカード通路に向って移動させるホルダ移動手段とを備え、前記ホルダは、カードがカード通路に挿入されたときに前記ホルダが前記カード通路と距離を隔てた位置にあって、かつ前記フックが前記カード通路に突出するように前記カード通路に向って移動し、さらにホルダは前記カード通路を移動した前記カードが前記フックを押して前記カード通路に向って移動して前記接点の位置が情報の読み出し／書き込みが可能な所定の位置となるカードリーダである。
【００２０】
第４の発明は、第１のカード挿入排出口と、前記第１のカード挿入排出口と対向する位置に設けた第２のカード挿入排出口と、カードの接触端子に接する接点を有するホルダと、前記ホルダに設けたフックと、前記ホルダを前記第１のカード挿入排出口の排出方向に付勢する弾性体と、前記カードが前記第１のカード挿入排出口から挿入されたことを検知するカード挿入検知手段と、前記ホルダが前記第１のカード挿入排出口と第２のカード挿入排出口との間のカード通路に向って移動するように規制する規制手段と、前記カード挿入検知手段からの信号により、前記フックが前記カード通路に突出するように前記ホルダを、前記規制手段を介して移動させるホルダ移動手段とを備え、前記ホルダは、前記第１のカード挿入排出口からカードが挿入されたときに前記ホルダが前記カード通路と距離を隔てた位置であって、かつ前記フックが前記カード通路に突出するように移動し、さらにホルダは前記カード通路を移動した前記カードが前記フックを押して前記カード通路に向って移動して前記接点の位置が情報の読み出し／書き込みが可能な所定の位置となるカードリーダである。
【００２１】
第５の発明は、第４の発明における第１のカード挿入排出口から挿入したカードを第の２のカード挿入排出口から排出する場合において、ホルダ移動手段の動作を解除し、弾性体の付勢力により接点およびフックが前記カードに接触しない位置にホルダを保持するように構成したカードリーダである。
【００２２】
第６の発明は、第４の発明において、カードを第２のカード挿入排出口から挿入する場合に、ホルダは付勢力により接点およびフックが前記カードと接しない位置に保持するように構成したカードリーダである。
【００２３】
第７の発明は、第２から第６の発明のいずれかにおいて、カード通路の面に切り欠き部を設け、ホルダが情報の読み出し／書き込み可能な所定の位置に移動したときに、フックの一部が前記切り欠き部に挿通するカードリーダである。
【００２４】
第８の発明は、第１から第７の発明のいずれかにおけるホルダ移動手段を、電磁ソレノイドで構成したカードリーダである。
【００２５】
第９の発明は、第１から第７の発明のいずれかにおけるホルダ移動手段を、モータと前記モータに駆動されるカムとで構成したカードリーダである。
【発明の効果】
【００２６】
以上のように本発明のカードリーダは、情報の読み取り／書き込み時だけカードと接触し、それ以外には接触することがないから、接触端子の寿命を短くしたり、カード表面に傷をつけることがなくなり、不正カード等の取り込み並びにオペレータの認証等が容易に行なうことができる。
【発明を実施するための最良の形態】
【００２７】
以下、本発明のカードリーダを実施するための最良の形態について、ＩＣカードリーダの例により図面を参照しながら説明する。
【００２８】
（実施の形態１）
図１は本発明の実施の形態１におけるＩＣカードリーダの内部構成図である。図２（ａ）から図２（ｉ）は同ＩＣカードリーダの動作の経過を示す説明図である。図２（ａ）はＩＣカードリーダの動作の初期状態、図２（ｂ）はＩＣカードがＩＣカードリーダ内に取り込み搬送された状態、図２（ｃ）はホルダとホルダのフックとがカード通路に対して斜め方向に移動し、フックがカード通路内に突出した状態、図２（ｄ）はＩＣカードが移動し、ホルダのフックに当接し、ホルダとともに取り込まれる状態、図２（ｅ）はＩＣカードの読み取り／書き込み状態、図２（ｆ）はＩＣカードを若干引き戻した状態、図２（ｇ）はＩＣカードを取り込む状態、図２（ｈ）はＩＣカードリーダの動作の終了直前の状態、図２（ｉ）はＩＣカードリーダの動作が終了した状態である。
【００２９】
カードの一態様としてのＩＣカード１は、情報の読み出し／書き込みの可能な態様で、例えば商品の購入時などに使用され、カードリーダ本体２が情報の読み出し／書き込みの際に使用する一対の接触端子１００を表面上に有する。カードリーダ本体２は、ＩＣカード１の所持者が商品の購入時などにおいて、挿入されたＩＣカード１の情報の読み出し／書き込みを行い、ＩＣカード１の決済を行うものである。
【００３０】
そして、カードリーダ本体２は、相対向させて筐体の前側にＩＣカード１を挿入または排出する第１のカード挿入排出口３を、後側にＩＣカード１を取り込むための第２のカード挿入排出口４をそれぞれ設け、決済のために以下に述べる情報の読み出し／書き込み等を行うカーリーダを構成する部品を内蔵している。
【００３１】
カード搬送路としてのカード通路５は、第１のカード挿入排出口３と第２のカード挿入排出口４を連結している。ＩＣカード１を搬送するカード搬送手段としては、モータ６、ベルト７、第１のカード挿入排出口３と第２のカード挿入排出口４の近傍に設けた一対のプーリー８、９、搬送ベルト１０、一対のプーリー８、９にそれぞれ相対向した押さえローラ１１等で構成されている。
【００３２】
モータ６は、その回転力を、ベルト７により一方のプーリー８および一対のプーリー８、９の間に架設した搬送ベルト１０に伝え、搬送ベルト１０と押さえローラ１１に挟まれたＩＣカード１を、カード通路５において図中矢印で示すカード挿入方向側からカード取り込み方向側、またはその逆方向側に搬送する。
【００３３】
ホルダ１２は、ＩＣカード１の情報の読み出し／書き込み等を行うために、ＩＣカード１の表面の接触端子１００に接触するバネ性の接点１３と、カード通路５を搬送されてきたＩＣカード１に当たられる被当接手段としてのフック１４を、それぞれ下面中央と下面後端に有する。また、ホルダ１２はＩＣカード１の情報の読み出し／書き込み等を行う時の、案内ピン１５とガイド溝１６から成る規制手段と、電磁ソレノイド１７およびプランジャー１８から成るホルダ移動手段により斜め下方に移動してフック１４をカード通路５に臨ますものである。
【００３４】
規制手段である案内ピン１５は、ホルダ１２の左右側面の前後上部に一体に設け、案内ピン１５が嵌合して案内されるガイド溝１６は、カードリーダ本体２の筐体内面に下方斜め溝を設けて形成している。また前記したとは逆に案内ピン１５はカードリーダ本体２の筐体内面に、ガイド溝１６はホルダ１２の左右側面の前後上部にそれぞれ設けても良いものである。
【００３５】
そして、ガイド溝１６は、前記ホルダ移動手段によりホルダ１２がカード通路５にフック１４が臨む位置まで移動でき、これより下方には前記ホルダ移動手段に拘束されず、フリーの状態となってカード通路５に臨んだフック１４に当接したＩＣカード１の搬送力により、ホルダ１２が接点１３をカード通路５に臨ましてＩＣカード１の接触端子１００に接触する位置まで移動できる、下方斜め溝の長さと角度に形成されている。
【００３６】
従って、ホルダ１２はＩＣカード１の情報の読み出し／書き込みを行う時、ホルダ移動手段により下方に移動しフック１４をカード通路５に位置させ、さらにＩＣカード１の搬送力により移動し、接点１３をＩＣカード１の接触端子１００に接触させる。
【００３７】
ホルダ移動手段であるプシュプルソレノイド等の電磁ソレノイド１７は、ホルダ１２と一列に並んでホルダ１２の前側に設け、そのプランジャー１８をホルダ１２に当接させて、ホルダ１２がこれ以上の第１のカード挿入排出口３側に移動しないように規制する手段も兼ねている。ホルダ戻しバネ１９は、一端部をホルダ１２に、他端部をカードリーダ本体２の筐体内面にそれぞれ係止して、常にホルダ１２を第１のカード挿入排出口３側に引き戻す付勢をしている。
【００３８】
従って、ホルダ１２はカードリーダの初期状態ではプランジャー１８に当接して第１のカード挿入排出口３側への移動が規制され、かつ案内ピン１５もガイド溝１６の上端に位置して、これ以上の案内は起こり得ないものである。
【００３９】
スイッチ等のカード挿入検知手段２０は第１のカード挿入排出口３の近傍に、スイッチ等のカード挿入検知手段２１は第２のカード挿入排出口４の近傍にそれぞれ設け、ＩＣカード１の挿入および排出を検知して制御手段２２に信号を送るものである。
【００４０】
ＩＣカード１の情報の読み出し／書き込みの位置を検知するスイッチ等のカード位置検知手段２３は、ホルダ１２に対向したカード通路５の下方に設け、ＩＣカード１が情報の読み出し／書き込み可能な所定位置に搬送されたことを検知して制御手段２２に信号を送るものである。なお、カード位置検知手段２３を設ける位置は、カード通路５の下方以外の位置としてもよい。
【００４１】
制御手段２２はワンチップマイクロコンピュータで構成され、カード挿入検知手段２０、２１およびカード位置検知手段２３の検知信号を取り込んでカード搬送手段であるモータ６およびホルダ１２のホルダ移動手段である電磁ソレノイド１７の動作を制御する以外に、カードリーダ本体２の全体の動作を制御するため、以下に述べる動作を実行する制御シーケンスのプログラムが格納されているものである。
【００４２】
切り欠き部２４は、カード通路５の上下面に設け、ホルダ１２の下方への移動でフック１４が切り欠き部２４に嵌合し、カード通路５を通るＩＣカード１が確実に当たるようにするものである。
【００４３】
上記実施の形態おいて以下、その動作について図２（ａ）から図２（ｉ）を参照して説明する。なお、図２（ａ）から図２（ｉ）にはＩＣカード１のカード搬送手段は図示していない。
【００４４】
図２（ａ）は、動作の初期状態を示しているが、ホルダ１２はホルダ戻しバネ１９の付勢力により第１のカード挿入排出口３側へ引っ張られて、初期位置で停止している。また、フック１４は、電磁ソレノイド１７のプランジャー１８によって規制され、電磁ソレノイド１７はプランジャー１８を吸引した状態となっており、フック１４がカード通路５内に突出していない位置で停止している。
【００４５】
図１に示すように、ＩＣカード１がカードリーダ本体２の第１のカード挿入排出口３に挿入されると、カード挿入検知手段２０がＩＣカード１の挿入を検知し、この検知信号を取り込んだ制御手段２２がカード搬送手段およびホルダ移動手段を制御する。
【００４６】
すなわち、モータ６が回転すると、その回転力がカード搬送手段に伝達されると同時にホルダ１２の位置を規制する電磁ソレノイド１７は、プランジャー１８に装着されているバネの力により吸引を解除させる方向にプランジャー１８を移動しホルダ１２を押す方向に駆動する。そして、ＩＣカード１は、搬送ベルト１０と押さえローラ１１に挟まれ、図２（ａ）の初期状態から図２（ｂ）を経てモータ６の回転に応じてカード通路５を図中矢印の方向に搬送される。
【００４７】
一方、電磁ソレノイド１７のプランジャー１８に押されたホルダ１２は図２（ａ）の初期状態からホルダ戻しバネ１９の付勢力に抗してガイド溝１６に沿って案内ピン１５が案内されて下方に移動し、図２（ｂ）を経て図２（ｃ）に達するとフック１４がカード通路５内に位置される。そして、ＩＣカード１は搬送され続けると、図２（ｄ）に示すようにＩＣカード１がカード搬送手段の搬送力で、先にカード通路５内に位置されているホルダ１２のフック１４に当接する。
【００４８】
ＩＣカード１による搬送力を受けたホルダ１２は、電磁ソレノイド１７のプランジャー１８に拘束されずフリーになり、これよりさらに前記搬送力を利用してホルダ戻しバネ１９の付勢力に抗してガイド溝１６に沿って案内ピン１５が案内されてフック１４が切り欠き部２４に嵌合する図２（ｄ）の状態から図２（ｅ）に示すように下方に移動し、この移動に同期しているＩＣカード１も切り欠き部２４に位置したフック１４から外れることなく移動する。
【００４９】
カード位置検出手段２３は、以上のようにホルダ１２を同期させて移動したＩＣカード１が情報の読み出し／書き込み可能な所定位置まで搬送されたことを検知する。この検知信号を取り込んだ制御手段２２は、モータ６の回転を止めてＩＣカード１を情報の読み出し／書き込み可能な所定位置にする。そして、移動を停止したＩＣカード１は、情報の読み出し／書き込み可能な所定位置にあり、ホルダ１２の接点１３とＩＣカード１上の接触端子１００が接触状態で電気的に接続され、情報の読み出し／書き込みが行われる。
【００５０】
そして、カードリーダ本体２は、読み出し／書き込みが正常に終了した場合、その信号を取り込んだ制御手段２２により、カード搬送手段およびホルダ移動手段を制御して図２（ｄ）の状態のようにＩＣカード１を戻す方向に搬送し、ホルダ１２もホルダ戻しバネ１９により図２（ｅ）の状態から図２（ｄ）の状態に戻って、接点１３がＩＣカード１の表面より離反してカード通路５外に位置する。
【００５１】
さらにホルダ１２とＩＣカード１は、図２（ｃ）、図２（ｂ）を経て図２（ａ）に示す初期状態に戻り、ＩＣカード１は第１のカード挿入排出口３から排出される。なお、ホルダ１２は、ＩＣカード１を第１のカード挿入排出口３より排出後、図２（ａ）の位置に戻すようにしてもよいし、ＩＣカード１の排出と同期して図２（ａ）の位置に戻すようにしてもよい。
【００５２】
カードリーダ本体２は、上記した図２（ｅ）の状態で読み出し／書き込み動作の結果、ＩＣカード１が不正カードであった場合等は、ＩＣカード１を装置内、例えばＰＯＳ（ポイントオブセール）装置等に取り込むものであり、つまりＩＣカード１がカードリーダから排出され、装置内に取り込まれることである。この場合は、取り込みを決定した後、その信号を取り込んだ制御手段２２により、カード搬送手段およびホルダ移動手段を制御して図２（ｅ）から図２（ｆ）、図２（ｇ）の状態のようにＩＣカード１は戻す方向に搬送され、一時停止する。
【００５３】
一方、ＩＣカード１の移動を妨げない状態までホルダ１２は、ホルダ戻しバネ１９の力と電磁ソレノイド１７の動作でプランジャー１８を吸引するとフック１４がカード通路５から離れた状態に移動する。一時停止したＩＣカード１は、制御手段２２により制御されたカード搬送手段により、図２（ｈ）に示す矢印方向（カード取り込み方向）へ搬送され、第２のカード挿入排出口４の方向に排出し、取り込まれる。なお、この時ホルダ１２は停止させておき、ＩＣカード１の動きには追従させない。その後、ホルダ１２とフック１４は、ホルダ戻しバネ１９の蓄力により図２（ｇ）、図２（ｈ）の状態を経由して図２（ｉ）に示す状態に至る。
【００５４】
以上のように本実施の形態によれば、ホルダ１２は電磁ソレノイド１７のプランジャー１８により駆動されてカード通路５にフック１４を位置させ、さらにホルダ１２はフック１４に当接したＩＣカード１の導入方向への搬送力によりカード通路５内を進出して接点１３をＩＣカード１の接触端子１００に接触させ、情報の読み出し／書き込み後において、ＩＣカード１の排出方向への搬送でホルダ戻しバネ１９の付勢力によりカード通路５外にフック１４を後退させて接点１３をＩＣカード１より離反するようにしたので、情報の読み出し／書き込み後におけるＩＣカード１の排出、取り込み等において、ホルダ１２の接点１３とは接していないから、接触端子１００の損傷を軽減してＩＣカード１の寿命を長くできるとともに、ＩＣカード１とフック１４との摩擦もないから、互いの摩耗を防ぐことができ、ＩＣカード１に傷をつけることもなくなる。
【００５５】
また本実施の形態によれば、ホルダ１２はフック１４を設け、情報の読み出し／書き込みの時だけカード通路５に位置させ、それ以外ではカード通路５外に後退するように構成したので、図５で説明した従来のカードリーダ本体５６のようにフック６２を軸６３、フック戻しバネ６８を以ってホルダ５９に取り付け、ＩＣカードに接触した状態でカードを取り込む機構等が解消され、小型で低価格のＩＣカードリーダを提供できるとともに、ＩＣカード１とフック１４との摩擦もないから、互いの摩耗を防ぐことができ、その分だけＩＣカード１の搬送における抵抗が少なくなり、カード搬送手段も余分な力を削減できる。
【００５６】
また本実施の形態によれば、ホルダ１２は情報の読み出し／書き込み後において、ＩＣカード１の排出方向への搬送でホルダ戻しバネ１９の付勢力によりカード通路５外にフック１４を後退させられるので、電磁ソレノイド１７、プランジャー１８に拘束されず、フリーの状態であるからホルダ戻しバネ１９の小さな付勢力でも後退することが可能となり、簡単な構成で安価にできる。
【００５７】
（実施の形態２）
図３は、本発明の実施の形態２におけるＩＣカードリーダの内部構成図である。本実施の形態は、ホルダ１２のホルダ移動手段である電磁ソレノイド１７をホルダ１２の上部に配置することでカードリーダ本体２の長さを短くした点で実施の形態１の発明と異なり、それ以外の同一構成並びに作用効果を奏するところには図１と同一符号を付与して詳細な説明を省略し、異なるところを中心に説明する。
【００５８】
図４（ａ）から図４（ｉ）は、ＩＣカードリーダの動作状態の説明図である。図４（ａ）はＩＣカード１を挿入した初期状態で、図４（ｂ）はＩＣカード１がカードリーダ本体２内に取り込み搬送された状態で、図４（ｃ）はホルダ１２に設けたフック１４とホルダ１２がカード通路５に対して斜め下方向に移動し、フックがカード通路内に突出した状態である。
【００５９】
図４（ｄ）はＩＣカード１が搬送され、フック１４に当たり、さらにホルダ１２とともに取り込まれる状態で、図４（ｅ）はＩＣカード１の読み取り／書き込み状態で、図４（ｆ）はＩＣカード１を若干カード挿入口側へ引き戻し、カード位置検知手段２３の位置で停止した状態で、図４（ｇ）はホルダ１２のフック１４とホルダ１２がカード通路５に対して斜め上方向に移動し、フック１４がカード通路５外に離脱した状態で、図４（ｈ）はＩＣカード１を取り込む状態で、図４（ｉ）は同動作の終了直前の状態である。
【００６０】
図３、図４において、接点１３とフック１４を有するホルダ１２は、ホルダ戻しバネ１９により第１のカード挿入排出口３側に付勢されており、上面中央部に突起部２５を一体に設けている。電磁ソレノイド１７は、ホルダ１２の上部に位置してカードリーダ本体２内に配設して、図１で示すカードリーダ本体２よりも長さを短くして、小さなスペースでもカードリーダ本体２を設置できるようにしている。
【００６１】
電磁ソレノイド１７は、プランジャー１８の先端部にストッパー２６を設け、このストッパー２６を突起部２５に係止してプランジャー１８の軸方への摺動でホルダ１２を案内ピン１５とガイド溝１６に案内させ斜め上下方向に移動させる構成にしている。従って、ホルダ１２のフック１４のカード通路５への位置は、ホルダ１２の突起部２５と電磁ソレノイド１７のプランジャー１８に取り付けているストッパー２６により規制する。
【００６２】
なお、電磁ソレノイド１７のプランジャー１８の吸引、解除動作は実施の形態１の図１で説明した状態と逆操作となる。また、ＩＣカード１の搬送とホルダ１２並びにフック１４は実施の形態１における図１に示すＩＣカードリーダと同じ動作をする。
【００６３】
上記実施の形態において、カードリーダ本体２は、ＩＣカード１の情報の読み出し／書き込みが正常に行われた場合には、実施の形態１の図２（ａ）から図２（ｅ）の状態で説明したと同様にして、ＩＣカード１を第１のカード挿入排出口３よりカードリーダ本体２内に挿入し、カード搬送手段により搬送してホルダ１２により情報の読み出し／書き込みを行い、フック１４がカード通路５外に位置するようにホルダ１２をカード通路５外に後退させてカード搬送手段により再び搬送して第１のカード挿入排出口３より排出する図４（ａ）から図４（ｅ）に示す状態で行われる。
【００６４】
またカードリーダ本体２は、ＩＣカード１の情報の読み出し／書き込みを行った結果、ＩＣカード１が不正なカードであることが判明した場合には、実施の形態１の図２（ｆ）から図２（ｉ）の状態で説明したと同様にして、フック１４がカード通路５外に位置するようにホルダ１２をカード通路５外に後退させ、カード搬送手段により搬送して第２のカード挿入排出口４より排出する図４（ｆ）から図４（ｉ）に示す状態でＩＣカード１の取り込みが行われる。
【００６５】
以上のように本実施の形態によれば、実施の形態１の発明で説明したと同様の作用効果を期待できるのはもちろんであるが、さらにホルダ移動手段である電磁ソレノイド１７およびプランジャー１８を、ホルダ１２の上部に配設しているので、図１で示すカードリーダ本体２よりも長さを短くでき、小さなスペースでもカードリーダ本体２を設置できることになり、取扱い上で有利にできる。
【００６６】
なお、上記各実施の形態においては、ＩＣカードリーダを用いて説明したが、本発明はＩＣカードリーダに限定されるものではなく、磁気式のカードリーダ等、他のカードリーダにとっても有用であることは言うまでもない。また、上記各実施の形態では、ホルダ６とフック１４は一体となっているが、別々に作って結合することも可能である。
【００６７】
さらに、上記各実施の形態で本発明をＩＣカードの情報の読み出し／書き込み可能なＩＣカードリーダについて説明したが、少なくともＩＣカードの情報の読み出し可能なＩＣカードリーダにも使用できることは当然である。
【００６８】
さらに、上記各実施の形態でホルダ移動手段として電磁ソレノイド１７およびプランジャー１８を採用したが、これに限定されることなく、例えばモータと前記モータに駆動され、回転運動を直線運動に変換するカムとで構成し、前記カムによりホルダを移動させるようにしてもよい。
【００６９】
さらに、上記各実施の形態でカード搬送手段、規制手段、ホルダ移動手段等はカード通路５を境にしてカードリーダ本体２の上側に配置したが、反対にカードリーダ本体２の下側に配置してもよいものである。
【産業上の利用可能性】
【００７０】
以上のように本発明のカードリーダは、情報の読み出し／書き込みによるカードの損傷を軽減して不正カード等の取り込み並びにオペレータの認証等が容易に行なうことができるもので、カード読み取り装置、カード読み出し／書き込み装置等に適用できる。
【図面の簡単な説明】
【００７１】
【図１】本発明の実施の形態１におけるＩＣカードリーダの内部構成図
【図２】（ａ）同実施の形態１のＩＣカードリーダにおける動作の初期状態の説明図（ｂ）同動作のＩＣカードリーダ内に取り込み搬送された状態の説明図（ｃ）同動作のＩＣ接点ホルダのホルダが通路内に突出した状態の説明図（ｄ）同動作のＩＣカードがホルダとともに取り込まれた状態の説明図（ｅ）同動作のＩＣカードの読み出し／書き込み状態の説明図（ｆ）同動作のＩＣカードを若干引き戻した状態の説明図（ｇ）同動作のＩＣカードを取り込む状態の説明図（ｈ）同動作における終了直前の状態の説明図（ｉ）同動作が終了した状態の説明図
【図３】本発明の実施の形態２におけるＩＣカードリーダの内部構成図
【図４】（ａ）同実施の形態２のＩＣカードリーダにおける動作の初期状態の説明図（ｂ）同動作のＩＣカードの取り込み搬送された状態の説明図（ｃ）同動作のＩＣ接点ホルダのホルダが通路内に突出した状態の説明図（ｄ）同動作のＩＣカードがホルダとともに取り込まれた状態の説明図（ｅ）同動作のＩＣカードの読み出し／書き込み状態の説明図（ｆ）同動作のＩＣカードを若干引き戻した状態の説明図（ｇ）同動作のＩＣカードを取り込む状態の説明図（ｈ）同動作における終了直前の状態の説明図（ｉ）同動作が終了した状態の説明図
【図５】従来のＩＣカードリーダの内部構成図
【図６】（ａ）従来のＩＣカードリーダの動作でＩＣカード初期状態の説明図（ｂ）同動作のＩＣカードの取り込み搬送された状態の説明図（ｃ）同動作のＩＣカードの読み取り状態の説明図（ｄ）同動作のＩＣカードを若干引き戻した状態の説明図（ｅ）同動作のＩＣカードが送り込まれる初期状態の説明図（ｆ）同動作のＩＣカードが送り込まれる初期状態の説明図
【符号の説明】
【００７２】
１  ＩＣカード（カード）
３  第１のカード挿入排出口
４  第２のカード挿入排出口
５  カード通路
１２  ホルダ
１３  接点
１４  フック
１５  案内ピン（規制手段）
１６  ガイド溝（規制手段）
１７  電磁ソレノイド（ホルダ移動手段）
１８  プランジャー（ホルダ移動手段）
１９  ホルダ戻しバネ
２０、２１  カード挿入検知手段
２４  切り欠き部
１００  接触端子
【図１】
2005092316.tif 000003
【図２】
2005092316.tif 000004
【図３】
2005092316.tif 000005
【図４】
2005092316.tif 000006
【図５】
2005092316.tif 000007
【図６】
2005092316.tif 000008